(57)【特許請求の範囲】
【請求項１】
床パネルと背面パネルと天井パネルおよび左右の側面パネルからなる前面開放状のサウナ風呂室を構成する後部ボックスと、この後部ボックスの前側に取付けられる拡縮自在な前部ボックスとからなり、前記前部ボックスは出入口扉を備えた正面パネルと、観音開き式の左右の側面パネルとを有しており、前記正面パネルはこれの内面の上下から天井パネル及び床パネルを後部ボックスの上下部に向けて突設し、前記正面パネルの内面側の左右コーナに遠赤外線発生装置を設置しており、前記後部ボックスに対し前記正面パネルが、前記天井パネル及び床パネルを後部ボックス内に差し込んだ状態で後部ボックスの正面開口部を閉じる後方格納位置と、前記天井パネル及び床パネルを前記後部ボックスから前方へ引き出す前方開き位置とにわたって前後方向に平行移動自在に備えられており、前記後部ボックスに対し左右の前記側面パネルが、後方格納位置にある前記正面パネルの前面側に左右中央で合わせるように閉じる姿勢と、前記後部ボックスの左右側面パネルの各前方延長線上に位置するように片側に開いて、前方開き位置にある前記正面パネルと前記後部ボックスとの間の左右両側方を閉塞する開き姿勢とにわたって、開閉回動自在に枢着され、前記正面パネルが前記後方格納位置にあるとき、前記前部ボックスの天井パネル及び床パネルが後部ボックスの天井パネルの下面側及び床パネルの上面側にそれぞれ納まるようにするとともに、側面パネルは正面パネルの前面側に位置するよう構成したことを特徴とするボックス型サウナ風呂。
【請求項２】
正面パネルを常に前方開き位置の方向へ移動付勢する開き付勢手段と、正面パネルを後方格納位置に保持するマグネットラッチ装置とを備え、該マグネットラッチ装置により、永久磁石による吸着力を利用して、前記正面パネルを前記後方格納位置に拘束したり、前記正面パネルを前記前方開き位置へ移動する場合は、正面パネルを一旦内方へ押圧することにより該拘束を解く事ができるようにしたことを特徴とする請求項１記載のボックス型サウナ風呂。
【発明の詳細な説明】
【０００１】
【発明の属する技術分野】
本発明は、家庭の浴室などに設置して使用される、ボックス型サウナ風呂に関するものである。
【０００２】
【従来の技術】
この種のボックス型サウナ風呂としては、例えば、図１４及び図１５に示したように、不使用時に縮小させることができて設置スペースの狭小化を図ったものがあり、該ボックス型サウナ風呂は、前面開放状のサウナ風呂室を構成する後部ボックス２の前面側に、前部ボックス３を拡縮自在に取付け、前部ボックス３は出入口扉３１を備えた正面パネル３２と、正面パネル３２の内面上下から後部ボックス２の上下部に向けて突設された天井パネル３３及び床パネル３４と、正面パネル３２の左右端と後部ボックス２とをヒンジ部材３６を介してつなぐ左右の側面パネル６０とから構成されている。
【０００３】
また、左右の各側面パネル６０は、２枚の前後パネル６０ａ・６０ｂが内方へ折込み自在にヒンジ部材３６を介して連結されており、縮小に際しては左右の側面パネル６０を内方へ折り込むことにより正面パネル３２を後部ボックス２の前面側に近接配置させることができ、前部ボックス３の偏平な折り畳み状態が得られるというものである。
【０００４】
【発明が解決しようとする課題】
しかるに、左右の側面パネル６０の一部を内方へ折り込む形態の上記従来のボックス型サウナ風呂では、左右の側面パネル６０は二重に折り重ねられるため奥行き方向の短縮化に制約があり、嵩張りやすいという問題があった。
【０００５】
また、サウナ風呂室内の加熱空気あるいは蒸気が漏れ出るのを防ぐためのシール部材は、側面パネル６０の前端と正面パネル３２の左右端との継ぎ合わせ部、および側面パネル６０の後端と後部ボックス２との継ぎ合わせ部のみならず、側面パネル６０の折れ目にも施す必要があり、そのように継ぎ合わせ部が増大する分だけヒンジ部材点数の増大を招くという無駄も生じていた。
【０００６】
さらに正面パネル３２の内側に付帯設備を組み付けると、左右の側面パネル６０の内部への折り込み動作と前記付帯設備とが干渉しやすくなる等の短所があり、近年では、このような問題を解消し得る使用至便なボックス型サウナ風呂が要望されている。
【０００７】
本発明は、上記実情に鑑みて成されたものであり、シール部材点数及びヒンジ部材点数の減少、及びこれらの組付け工数の減少を図ることのできるボックス型サウナ風呂を提供することを目的としたものである。
【０００８】
また本発明は、縮小状態での嵩張り減少（奥行き方向の薄形化）、コンパクト化を図り、不使用時の設置スペースの狭小化を図ることのできるボックス型サウナ風呂を提供することをも目的としている。
【０００９】
【課題を解決するための手段】
本発明のボックス型サウナ風呂は、前面開放状のサウナ風呂室を構成する後部ボックスと、この後部ボックスの前側に取付けられる拡縮自在な前部ボックスとからなる。
【００１０】
前記前部ボックスは、出入口扉を備えた正面パネルと、観音開き式の左右の側面パネルとを有してなり、前記正面パネルはこれの内面の上下から天井パネル及び床パネルを後部ボックスの上下部に向けて突設してなる。
【００１１】
前記正面パネルは、前記後部ボックスに対し、前記天井パネル及び床パネルを後部ボックス内に差し込んだ状態で後部ボックスの正面開口部を閉じる後方格納位置と、前記天井パネル及び床パネルを前記後部ボックスから前方へ引き出した前方開き位置とにわたって前後方向に平行移動自在に備えられている。
【００１２】
左右の前記側面パネルは、前記後部ボックスに対し、後方格納位置にある前記正面パネルの前面側に左右中央で合わせるように閉じる姿勢と、前記後部ボックスの左右側面パネルの各前方延長線上に位置するように片側に開いて、前方開き位置にある前記正面パネルと前記後部ボックスとの間の左右両側方を閉塞する開き姿勢とにわたって、開閉回動自在に枢着されている。
【００１３】
上記ボックス型サウナ風呂は、自動的に正面パネルを開くことができるようにするために、正面パネルを常に前方開き位置の方向へ移動付勢する開き付勢手段と、正面パネルを後方格納位置に保持するマグネットラッチ装置とを備えていることが好ましい。
【００１４】
【作用】
本発明のボックス型サウナ風呂を使用するに際しては、左右の側面パネルが後部ボックスの左右側面パネルの各前方延長線上に位置するように片側に開かれる。
【００１５】
次いで、正面パネルが天井パネルおよび床パネルを後部ボックス内から前方へ引き出す前方開き位置にまで移動させられる。
【００１６】
これにより、左右の側面パネルは、前方開き位置にある正面パネルと後部ボックスとの間の左右両側方を閉塞する開き姿勢になり、後部ボックス内のサウナ風呂室の空間は前方へ延長拡大し、広々として使い易くなる。
【００１７】
また、本発明のボックス型サウナ風呂を使用しない場合は、正面パネルが天井パネルおよび床パネルを後部ボックス内に差し込んで、後部ボックスの正面開口部を閉じる後方格納位置にまで移動させられるとともに、左右の側面パネルがその正面パネルの前面側に左右中央で合わせるように閉じられる。
【００１８】
そしてこれにより、後部ボックスの奥行き寸法に、僅かに側面パネルの１枚分の板厚が加わるだけで、奥行き方向に薄いコンパクトな縮小状態が得られる。
【００１９】
【実施例】
図１乃至図３は、本発明に係るボックス型サウナ風呂の縮小状態の一実施例を示した図面であり、図４乃至図６は本発明に係るボックス型サウナ風呂の拡開状態の一実施例を示したものである。
【００２０】
図４乃至図６において、このボックス型サウナ風呂は、常時定形状態に構築された後部ボックス２と、後部ボックス２の前側に拡縮自在に組み付けられる前部ボックス３とからなり、該後部ボックス２は、床パネル２１、背面パネル２２、上下部天井パネル２３・２４、および左右の側面パネル２５・２５で前面開放状のサウナ風呂室２６を構成する。
【００２１】
また、前記サウナ風呂室２６には、すのこ状の椅子２７、温風発生装置２８などを設置する。
【００２２】
前記前部ボックス３は、出入口扉３１を備えた正面パネル３２及び観音開き式の左右の側面パネル３５・３５を有し、該正面パネル３２は、これの内面の上下から天井パネル３３及び床パネル３４をそれぞれ内向きに互いに平行に突設している。
【００２３】
そして、図２に示すように、正面パネル３２は、天井パネル３３及び床パネル３４が後部ボックス２の下部天井パネル２４の下面側及び床パネル２１の上面側にそれぞれ納まる後方格納位置と、天井パネル３３及び床パネル３４が後部ボックス２の天井パネル２３下面側及び床パネル２１の上面側から前方へ突出する前方開き位置とにわたって出し入れ自在に組み付けられる。
【００２４】
前記左右の側面パネル３５・３５の各後端は、後部ボックス２の左右の側面パネル２４・２５の各前端にヒンジ部材３６（図９参照・図１０参照）をもってそれぞれ継ぎ合わせられており、この継ぎ合わせによって左右の側面パネル３５・３５は後方格納位置にある正面パネル３２の前面側に左右中央で合わせるように閉じる姿勢（図２及び図３の実線状態）と、左右の側面パネル２５・２５の各前方延長線上に位置するように片側に開いて、前方開き位置にある正面パネル３２と後部ボックス２との間の左右両側方を閉塞する開き姿勢（図３の一点鎖線状態、図４）とにわたって開閉回動自在にしている。
【００２５】
前記前部ボックス３の左右の側面パネル３５・３５の各後端と、前記後部ボックス２の左右の側面パネル２５・２５の各前端との継ぎ合わせ部には、サウナ風呂室２６内の加熱空気あるいは蒸気が外部へ漏れるのを防ぐためにシール（図示省略）が施されるている。
【００２６】
また、前記前部ボックス３は、正面パネル３２の内面側の左右コーナに遠赤外線発生装置３７を設置するとともに、床パネル３４の上にすのこ床板３８を、天井パネル３３の上に配電盤３９をそれぞれ設置しており、前部ボックス３が格納されるとき、図２のように遠赤外線発生装置３７は後部ボックス２内の椅子２７の左右側方に、すのこ床板３８は椅子２７の下方に、配電盤３９は上下部天井パネル２３・２４間の空間内にそれぞれ納まるように位置設定してある。
【００２７】
更に、前記前部ボックス３の正面パネル３２は、常に前方開き位置にまで移動付勢される開き付勢手段４０を備えており、該開き付勢手段４０は、例えば、図７に示すように、ワイヤ４１を常に巻取り方向に付勢する状態に巻いているワイヤ巻取リール４２が後部ボックス２の下部天井パネル２４上に設置され、該ワイヤ４１の先端は下部天井パネル２４上に設置したガイド４３に導かれて前部ボックス３の天井パネル３３の後端部３３ａに結合固定されているのである。
【００２８】
従って、常時ワイヤ４１の引張力で前部ボックス３の正面パネル３２は前方突出位置にまで移動付勢されるのである。
【００２９】
また前部ボックス３の正面パネル３２は、後方格納位置に停止保持されるマグネットラッチ装置４６を備えており、該マグネットラッチ装置４６は永久磁石による吸着力を利用して、正面パネル３２をこの後方格納時に後方格納状態に拘束し、前方開き時には正面パネル３２を一旦内方へ押圧することによって前記拘束を解いて自由に前方開き位置方向へ移動できるようにしたものを使用している。
【００３０】
図９及び図１０は、前記マグネットラッチ装置４６の一例を示す説明図であり、図１１及び図１２は、その底面側を示す説明図である。
【００３１】
両図において、マグネットラッチ装置４６は、後部ボックス２の下部天井パネル２４上にビス４７で固定された本体ケース４８に、マグネットラッチ４９を前方突出位置（図１２）と後方退入位置（図１３）とにわたって前後移動自在に内蔵するとともに、マグネットラッチ４９を常に前方移動付勢するばね５０を内蔵している。
【００３２】
またマグネットラッチ４９を前方突出位置（図１２）から後方退入位置（図１３）へ、更に後方退入位置（図１３）から本体ケース４８の前方へ僅かに突出する僅小突出位置（図１１）へ、僅小突出位置（図１１）から前方突出位置（図１２）へ戻すという順序で、マグネットラッチ４９に一方向運動を与えるカム機構５１を備えており、該カム機構５１は、本体ケース４８の底を塞ぎ、概ねハート形状の溝５２及びリブ５３を有するカム板５４と、マグネットラッチ４９とカム板５４との間に配設したストッパー部材５５とから構成されている。
【００３３】
前記ストッパー部材５５は、これの基端に前記ばね５０の端部で常に押圧接当作用を受ける突起５６と、先端に前記カム板５４の溝５２に係合する滑子５７をそれぞれ備えている。
【００３４】
そして、前記マグネットラッチ４９の前後移動に伴って、前記ストッパー部材５５は突起５６回りに左右に揺動しながら滑子５７をカム板５４の溝５２及びリブ５３に沿って一方向に循環滑動させるのであり、一方、正面パネル３２の内面には、前記マグネットラッチ４９が吸着する鉄製の受座５８を固定している。
【００３５】
而して、正面パネル３２を後方格納位置に停止保持する常態時には、マグネットラッチ４９が本体ケース４８の前方へ僅かに突出する僅小突出位置（図１１）で受座５８を吸着する状態にあり、このとき図１１のようにストッパー部材５５の滑子５７は溝５２のＡ位置に係合する。
【００３６】
そしてこの状態において、図８乃至図１０のように、側面パネル３５・３６及び正面パネル３２を軽く押して受座５８をマグネットラッチ４９の前端に押し付けると、この押し付けでマグネットラッチ４９はばね５０を圧縮させて本体ケース４８内に後退し（図９の一点鎖線状態）、滑子５７は溝５２のＡ位置からＢ位置へ押し出される。
【００３７】
このとき正面パネル３２の押し付けを解くとばね５０の力でマグネットラッチ４９は前進して自動的に正面パネル３２が開く（図１０）のであるが、その際、滑子５７は溝５２のＢ位置からリブ５３の始端位置Ｃへ移動する（図１２）。
【００３８】
またこのとき、正面パネル３２は、開き付勢手段４０で更に前方開き位置にまで自動的に押し開かれる。
【００３９】
前方開き位置にある正面パネル３２を開き付勢手段４０に抗し押圧することで後退させて受座５８を前方突出位置にあるマグネットラッチ４９に吸着させ、更に正面パネル３２を押圧するとマグネットラッチ４９はばね５０を圧縮させて本体ケース４８内に後退する。
【００４０】
このとき滑子５７はリブ５３の始端位置Ｃから該リブ５３を滑ってこの終端部から溝５２のＤ位置へ移動する（図１３）。
【００４１】
更にこのとき、正面パネル３２の押し付けを解くとばね５０の力でマグネットラッチ４９は少し前進し、滑子５７は溝５２のＤ位置から始発点であるＡ位置に戻って係合し、正面パネル３２を後方格納位置に停止保持する。
【００４２】
なお、前部ボックス３の正面パネル３２を後方格納位置に停止保持するマグネットラッチ装置４６と併用して、または該マグネットラッチ装置４６に代えて、左右の側面パネル３５・３５を正面パネル３２の前面側に左右中央で合わせる閉じ姿勢に保持するための打掛け錠あるいはスライドボルト等を側面パネル３５・３５の左右中央の合わせ部に取り付けるようにしてもよい。
【００４３】
【発明の効果】
本発明によれば、使用時は、正面パネルを前方開き位置にまで移動させるとともに、左右の側面パネルを後部ボックスの左右側面パネルの各前方延長線上に位置するように片側に開くことによりサウナ風呂室内の空間が前方へ延長拡大し、広々として使い易くなるという利点を有し、また、不使用時においては、正面パネルを後方格納位置にまで移動させるとともに、左右の側面パネルをその正面パネルの前面側に左右中央で合わせる閉じ姿勢にすることによって全体が家具調の違和感のないコンパクトな縮小状態が得られるという効果を有する。
【００４４】
また、本発明は、左右の側面パネルを、中央で合わせる観音開き式のものを採用してあるため、左右の各側面パネルは１枚で足り、従って、本発明によれば、少なくとも２枚以上必要としていた従来の折り込み式の側面パネルと比べて奥行き方向をより一層短縮化できて一段と薄くてコンパクトな縮小状態が得られ、また従来の側面パネルの一部の内折れ目に施されていたシール部材やヒンジ部材も不必要となり、それだけ部材点数、組付け工数を減少できて有利である。
【００４５】
また、左右の側面パネルは、その正面パネルの前面側に左右中央で合わせるように閉じる形態を採用することにより、正面パネルの内側に遠赤外線発生装置等の付帯設備を付ける場合も側面パネルはその付帯設備に干渉することなく開閉できる。
【００４６】
更に、本発明は、正面パネルの開き付勢手段及びマグネットラッチ装置を備えることにより、自動的に正面パネル及び側面パネルを開くことができるという使用上の利点も有するものである。
【図面の簡単な説明】
【図１】本発明のボックス型サウナ風呂の縮小状態を示す斜視図である。
【図２】本発明のボックス型サウナ風呂の縮小状態を示す縦断面図である。
【図３】本発明のボックス型サウナ風呂の縮小状態を示す横断面図である。
【図４】本発明のボックス型サウナ風呂の拡開状態を示す斜視図である。
【図５】本発明のボックス型サウナ風呂の拡開状態を示す縦断面図である。
【図６】本発明のボックス型サウナ風呂の拡開状態を示す横断面図である。
【図７】本発明のボックス型サウナ風呂の開き付勢手段を示す説明図である。
【図８】本発明のボックス型サウナ風呂の縮小状態の説明図である。
【図９】本発明のボックス型サウナ風呂のマグネットラッチ装置の一実施例を示す説明図である。
【図１０】本発明のボックス型サウナ風呂のマグネットラッチ装置の一実施例を示す説明図である。
【図１１】本発明のボックス型サウナ風呂のマグネットラッチ装置の一実施例を示す説明図である。
【図１２】本発明のボックス型サウナ風呂のマグネットラッチ装置の一実施例を示す説明図である。
【図１３】本発明のボックス型サウナ風呂のマグネットラッチ装置の一実施例を示す説明図である。
【図１４】従来のボックス型サウナ風呂の横断面図である。
【図１５】従来のボックス型サウナ風呂の縦断面図である。
【符号の説明】
２  後部ボックス
３  前部ボックス
３１  出入口扉
３２  正面パネル
３３  天井パネル
３４  床パネル
３５  側面パネル
４０  開き付勢手段
４６  マグネットラッチ装置
【図１】
0003786994.tif 000002
【図２】
0003786994.tif 000003
【図３】
0003786994.tif 000004
【図４】
0003786994.tif 000005
【図５】
0003786994.tif 000006
【図６】
0003786994.tif 000007
【図７】
0003786994.tif 000008
【図８】
0003786994.tif 000009
【図９】
0003786994.tif 000010
【図１０】
0003786994.tif 000011
【図１１】
0003786994.tif 000012
【図１２】
0003786994.tif 000013
【図１３】
0003786994.tif 000014
【図１４】
0003786994.tif 000015
【図１５】
0003786994.tif 000016